(57)【要約】【課題】開梱後、再使用でき、廃棄物の発生がないとともに、梱包時にアングル部を手で押さえる必要のない梱包方法、及びこの梱包方法に好適に使用される積載物拘束具を提供する。【解決手段】Ｌ字型の断面を有するアングル部１１と、アングル部１１の長手方向一端に、アングル部１１の面に対して直交する方向に形成された掛止部１２と、を有する積載物拘束具１０である。【選択図】図１
2015129017.tif 000002
【特許請求の範囲】
【請求項１】
Ｌ字型の断面を有するアングル部と、
前記アングル部の長手方向一端に、前記アングル部の面に対して直交する方向に形成された天井部と、
を有する、積載物拘束具。
【請求項２】
前記天井部は、前記アングル部と一体に形成されている、
請求項１に記載の積載物拘束具。
【請求項３】
前記天井部に取り付けられ前記天井部より面積が大きい天板を備える、請求項１又は２に記載の積載物拘束具。
【請求項４】
前記アングル部の長さは、パレット上に１段又は複数段積載された積載物における最上段の積載物から最下段の積載物に亘って前記積載物の高さ方向に延びる角部が覆われるように設定されている、
請求項１〜３の何れか１項に記載の積載物拘束具。
【請求項５】
前記積載物の高さに合わせて前記アングル部を複数連結させるジョイント部材を備える、請求項１〜３の何れか１項に記載の積載物拘束具。
【請求項６】
前記アングル部および前記天井部は、ポリプロピレン樹脂から形成されている、
請求項１〜５の何れか１項に記載の積載物拘束具。
【請求項７】
パレット上に積載物を１段又は複数段積載し、
請求項１〜６のいずれか１項に記載の積載物拘束具のアングル部によって、前記積載物の高さ方向に延びる角部を覆うとともに、前記積載物拘束具の天井部における前記パレットに対向する面を前記積載物の上面に当接させ、
前記積載物の側面部を前記積載物拘束具とともに結束バンドで結束して前記積載物拘束具を前記積載物の高さ方向に延びる角部に固定する、
梱包方法。
【発明の詳細な説明】
【技術分野】
【０００１】
本発明は、積載物拘束具および梱包方法に係り、特に、パレットに積載した積載物の梱包に好適に使用される積載物拘束具、および前記積載物拘束具を用いたパレット積載物の梱包方法に関する。
【背景技術】
【０００２】
ティッシュペーパーやトイレットペーパーなどの紙製品や、各種日用雑貨等は、通常搬送中の散逸や損傷を防止する目的で所定数量が段ボール箱等に詰められた状態で搬送される。これらの段ボール箱等は、複数段重ねた状態で搬送用のパレットに積載されて搬送されることが多く、また、そのように段ボール箱を積載したパレットが複数段重ねられた状態で搬送されることも多い。
【０００３】
したがって、搬送用パレットに積み重ねられた段ボール箱が搬送中に崩れ落ちないように、段ボール箱同士を固定する必要がある。そこで、これまでは段ボール箱を搬送用パレットに所定段数だけ積み重ねた後、積み重ねられた段ボール箱をストレッチフィルムで３〜４回巻回して梱包していた。
【０００４】
しかしながら、使用後のストレッチフィルムは再利用できないので、梱包を解いた後のストレッチフィルムは、廃棄物として廃棄されていた。
【０００５】
開梱時に廃棄物が発生するという問題を解決した梱包方法としては、例えば、パレット上に積載された積載物の角部をＬ字型のアングルで覆い、アングルの上端が積載物の上面と同じ高さに位置するようにこのアングルを配置して、アングルと積載物の側面とを結束バンドで緊結して固定する梱包方法がある（特許文献１）。
【先行技術文献】
【特許文献】
【０００６】
【特許文献１】特開２００８−１８９３６９号公報
【発明の概要】
【発明が解決しようとする課題】
【０００７】
しかしながら、特許文献１の梱包方法においては、結束バンドでアングルと積載物の側面とを緊結する際に、アングルを手で押さえながら緊結する必要があるため、一人での作業が極めて困難であるという問題がある。
【０００８】
本発明は、全ての梱包資材が梱包を解いた後、再使用でき、廃棄物の発生がないとともに、アングルを手放しで緊結でき、一人での作業が容易な梱包方法、及びこの梱包方法に好適に使用される積載物拘束具の提供を目的とする。
【課題を解決するための手段】
【０００９】
本発明の第１の態様は、Ｌ字型の断面を有するアングル部と、前記アングル部の長手方向一端に、前記アングル部の面に対して直交する方向に張り出して、又は突出して形成された天井部と、を有する積載物拘束具である。
【００１０】
前記積載物拘束具においては、Ｌ字型の断面を有するアングル部と、アングル部の長手方向一端に形成された天井部とを有しているため、例えば積載物の高さ方向に延びる角部をアングル部で覆うとともに、天井部を、最上段の積載物の上面に当接させることにより、積載物拘束具を積載物に引っ掛けた状態とすることができる。したがって、積載物拘束具のアングル部を手で押さえることなく、結束バンド等による緊結作業が可能になるから、一人でも容易に梱包作業を行うことができる。
【００１１】
また、積載物が積載されたパレットを複数段重ねる場合には、下段の積載物の上面に取り付けられた積載物拘束具の天井部が上段の下部にあるパレットに当たるため、下段の積載物が上段のパレットに接触することが防止され、上段のパレットによる下段の積載物の損傷が効果的に防止される。
【００１２】
更に、アングル部および天井部を、何れも例えば樹脂で形成することにより、積載物は、上方および側方からの衝撃から効果的に保護される。
【００１３】
本発明の第２の態様は、第１の態様の積載物拘束具において、天井部がアングル部と一体に形成されていることを特徴とする。
【００１４】
前記積載物拘束具においては、天井部がアングル部と一体的に形成されているから、アングル部と別体として形成された天井部をアングル部に固定した形態の積載物拘束具と比較して、使用中に天井部がアングル部から分離することが少なく、また部品点数が少ないために製造コストも低くなる。
【００１５】
本発明の第３の態様は、第１又は第２の態様の積載物拘束具において、天井部に取り付けられ天井部より面積が大きい天板を備えることを特徴とする。
【００１６】
前記積載物拘束具においては、天井部より面積が大きい天板を天井部に取り付けているため、積載物拘束具を積載物の上面に引っ掛けることが容易となり、結束バンド等により緊結作業を行う際に、積載物から積載物拘束具が外れることを防ぐことができる。
【００１７】
本発明の第４の態様は、第１〜第３の態様の何れか１つの態様の積載物拘束具において、アングル部の長さが、パレット上に１段または複数段積載された積載物における最上段の積載物から最下段の積載物に亘って積載物の高さ方向に延びる角部が覆われるように設定されていることを特徴とする。
【００１８】
前記積載物拘束具においては、アングル部の長さが、最上段の積載物から最下段の積載物に亘って全ての積載物の高さ方向に延びる角部が覆われるように設定されているから、積載物拘束具の天井部を、パレット上に積載された積載物の上面に当接させることにより、最上段の積載物から最下段の積載物に亘って全ての積載物の高さ方向に延びる角部がアングル部によって覆われる。
【００１９】
したがって、アングル部の長さが、最上段の積載物から最下段の積載物に亘って全ての積載物の高さ方向に延びる角部を覆うには短か過ぎる場合と比較して、全ての段の積載物について横方向のずれの発生を防止できる。
【００２０】
また、前記積載物拘束具は、積載物の大きさや積載段数によって変動する積載全高に対応することができるように、アングル部の途中にアングル部の長さを自由に調節するための伸縮機構を少なくとも１箇所設けることを妨げない。
【００２１】
本発明の第５の態様は、第１〜第３の態様の何れか１つの態様の積載物拘束具において、前記積載物の高さに合わせて前記アングル部を複数連結させるジョイント部材を備える、請求項１〜３の何れか１項に記載の積載物拘束具。
【００２２】
前記積載物拘束具においては、アングル部をジョイント部材によって複数連結することで積載物拘束具の長さを積載物の量及び高さに応じた長さとすることができる。また、積載物拘束具を容易に分解したり、組み立てたりすることができるため、保管する際に場所をとらず、持ち運びが容易となる。
【００２３】
本発明の第６の態様は、第１〜第５の態様の何れか１つの態様の積載物拘束具において、アングル部および天井部がポリプロピレン樹脂から形成されていることを特徴とする。
【００２４】
前記積載物拘束具においては、アングル部および天井部がポリプロピレン樹脂から形成されているから、強度、緩衝性能、および寸法制度に優れる。したがって、繰り返し使用後も変形が少ない特長がある。
【００２５】
本発明の第７の態様は、パレット上に積載物を１段又は複数段積載し、第１〜第６のいずれかの態様の積載物拘束具のアングル部によって、前記積載物の高さ方向に延びる角部を覆うとともに、この積載物拘束具の天井部における前記パレットに対向する面を前記積載物の上面に当接させ、積載物の側面部を積載物拘束具とともに結束バンドで結束して積載物拘束具を前記積載物の高さ方向に延びる角部に固定する梱包方法に関する。
【００２６】
前記梱包方法においては、梱包資材である積載物拘束具および結束バンドは繰り返し使用できるから、廃棄物の発生がない。また、請求項１のところで述べたように、積載物拘束具の天井部のパレットに対向する面を積載物の上面に当接させることにより、積載物拘束具が積載物の上面に引っ掛けられた状態となるため、結束バンドによる緊結時にアングル部を手で押さえる必要がなく、一人でも容易に作業できる。
【発明の効果】
【００２７】
以上説明したように、本発明によれば、開梱後の廃棄物の発生がないとともに、梱包時にアングル部を手で押さえる必要がなく、一人での作業が容易な梱包方法、及びこの梱包方法に好適に使用される積載物拘束具が提供される。
【図面の簡単な説明】
【００２８】
【図１】本発明の第１実施形態に係る積載物拘束具、及び積載物拘束具によって拘束される積載物を示す斜視図である。
【図２】本発明の第１実施形態に係る積載物拘束具の構成を示す斜視図である。
【図３】（Ａ）は、本発明の第１実施形態に係る積載物拘束具の組み立て前の状態を示す展開図であり、（Ｂ）は、その組み立て途中の状態を示す斜視図である。
【図４】（Ａ）は、本発明の第２実施形態に係る積載物拘束具の組み立て前の状態を示す斜視図であり、（Ｂ）は、その組み立て後の状態を示す斜視図である。
【図５】（Ａ）は、本発明の第３実施形態に係る積載物拘束具のジョイント部材を示す斜視図であり、（Ｂ）は、ジョイント部材を積載物拘束具に取り付けた状態を示す斜視図である。
【発明を実施するための形態】
【００２９】
（第１実施形態）
本発明の第１実施形態に係る積載物拘束具１０について、図面を用いて説明する。
【００３０】
積載物拘束具１０は、パレット２の積載面に積層された複数の積載物３を拘束するために用いられるものである。積載物３は、日用雑貨品や台所用品等の搬送しようとする製品を内部に収容した段ボール箱であり、図１に示すように、パレット２の積載面に５個ずつ３段に積層されている。なお、パレット２と積載物３とによって梱包体１が構成されている。
【００３１】
３段に積層された積載物３の高さ方向に延びる角部は、積載物拘束具１０によって覆われているとともに、積載物３は、積載物拘束具１０とともに側面部において結束バンド４で結束されている。結束バンド４の一端は結束具５に通されて固定されている。一方、結束バンド４の他端は結束具５に緊結されている。
【００３２】
積載物拘束具１０における後述するアングル部１１の外側の面には、結束バンド４が挿通される結束バンド挿通部材６が固定されている。積載物拘束具１０への結束バンド挿通部材６の固定は例えばポリプロピレン用接着剤又は両面テープ等により行うことができる。
【００３３】
結束時に、結束バンド挿通部材６に結束バンド４を挿通することにより、梱包体１を搬送中に結束バンド４が上下方向に移動したり、結束バンド４が外れたりするのを防止できる。ただし、結束バンド４の材質としてゴム等摩擦の大きな材質を用いる場合には、結束バンド挿通部材６は必ずしも必要ではない。
【００３４】
図２に示すように、積載物拘束具１０は、山形の断面、言い換えればＬ字型の断面を有するアングル部１１と、アングル部１１の長手方向一端に、アングル部１１の２つの面１１Ａ、１１Ｂに直交するように形成された天井部１２と、を備えている。アングル部１１もまた、２つの面１１Ａ、１１Ｂが実質的に互いに直交するように形成されている。
【００３５】
なお、アングル部１１の面１１Ａ、１１Ｂは厚さが一様な板状である必要は必ずしも無く、最も強度を必要とするコーナー部の厚みを厚く、積荷の側面を押さえる部分の厚みをコーナー部よりも薄くしてもよい。また、積荷の側面を押さえる部分を肋骨状又は網状に形成してもよい。
【００３６】
図１、図２に示す例では天井部１２は正方形の平面形状を有しているが、天井部１２は矩形状、又は三角形状であってもよい。また、天井部１２は必ずしも板状である必要は無く、梁状、網状、又は片側のみがアングル部に繋がっている棒状であってもよい。
【００３７】
積載物拘束具１０は樹脂から成る。使用できる樹脂の種類には特に制限はないが、弾力性、耐久性、機械的強度等の点から、ポリオレフィン樹脂が好ましく、中でもポリプロピレン樹脂及びポリエチレン樹脂が好ましく、特にポリプロピレン樹脂が好ましい。
【００３８】
次に、積載物拘束具１０の作製方法について説明する。
【００３９】
先ず、図３（Ａ）に示すように、ポリプロピレン樹脂のシート２０を矩形状に裁断し、天井部１２を形成する側の端部に、裁断したシート２０の長手方向に沿ったスリット１３を形成する。
【００４０】
次いで、図３（Ｂ）に示すように、図３（Ａ）における一点鎖線が山になるようにシート２０を折り曲げ、アングル部１１を形成するとともに、シート２０の長手方向に沿って形成されたスリット１３で区分された片部１２Ａ、１２Ｂを重ね合わせて天井部１２を形成する。
【００４１】
重ね合わせた片部１２Ａ、１２Ｂは、ポリプロピレン樹脂用接着剤又は両面粘着テープで貼着することができる。なお、図３（Ａ）における一点鎖線のうち、シート２０の長手方向に沿った一点鎖線は、シート２０の中心線に沿ったものであり、片部１２Ａと片部１２Ｂとをアングル部１１から区分する一点鎖線は、シート２０の中心線に対して直交する方向に伸びるものである。
【００４２】
完成した積載物拘束具１０においては、上述のように、必要に応じてアングル部１１の外側の面、言い換えれば積載物３の高さ方向に延びる角部を覆う側とは反対側の面に、接着等の手段によって結束バンド挿通部材６を固定することができる。ただし、図２、図３では結束バンド挿通部材６は省略されている。なお、結束バンド挿通部材６は、積載物拘束具１０とは別途に射出成形で形成された部品であってもよく、積載物拘束具１０と同一の材質のポリプロピレン樹脂のシート２０を所定形状に屈曲して形成した部品であってもよい。
【００４３】
次に、梱包体１の梱包方法について説明する。
【００４４】
先ず、所定の製品を収納した積載物３としての段ボール箱を、所定の配置で所定の段数、例えば３段、パレット２に積載する。次に、積載物３の高さ方向に延びる角部を、積載物拘束具１０のアングル部１１で覆い、言い換えればアングル部１１の内側の面を積載物３の高さ方向に延びる角部に当接させる。
【００４５】
同時に、積載物拘束具１０の天井部１２のパレット２に対向する面を最上段の積載物３の上面に当接させる。これにより、積載物拘束具１０は、積載物３の上面に引っ掛けられた状態となる。積載物拘束具１０を積載物３の上面に引っ掛けた後、一端を結束具５に固定した結束バンド４を結束バンド挿通部材６に挿通させ、結束バンド４の他端を結束具５に締結して、積載物３を積載物拘束具１０とともに結束する。
【００４６】
第１実施形態の積載物拘束具１０によると、パレット２に積載された積載物３の高さ方向に延びる角部をアングル部１１で覆うとともに、積載物３のうち、下から３段目、言い換えれば最上段に位置するものの上面に、天井部１２におけるアングル部１１に臨む側の面を当接させる。
【００４７】
これにより、積載物拘束具１０は、積載物３の上面に引っ掛けられた状態となるため、結束バンド４での結束時に積載物拘束具１０のアングル部１１を手で押さえておく必要がない。したがって、天井部１２を有しない積載物拘束具とは異なり、一人での作業が遥かに容易である。
【００４８】
また、梱包体１を複数段積層したときに、上段の梱包体１のパレット２と下段の梱包体１の積載物３との間に、積載物拘束具１０の天井部１２が位置する。これにより、下段の梱包体１における最上段の積載物３が、上段の梱包体１のパレット２と直に接触することが防止され、上段の梱包体１のパレット２による、下端の積載物３の損傷が効果的に防止される。
【００４９】
また、上述のように、天井部１２を形成する片部１２Ａ，１２Ｂは、シート２０の一部をなしているとともに、アングル部１１はシート２０を山形に折り曲げて形成され、天井部１２は、片部１２Ａ，１２Ｂをシート２０の面に対して直交するように折り曲げ、重ね合わせて形成される。
【００５０】
したがって、積載物拘束具１０においては、天井部１２がアングル部１１と一体的に形成されているため、使用中に天井部１２がアングル部１１から分離することが防止される。
【００５１】
さらに、アングル部１１の長さは、下から１段目の積載物３から最上段である３段目の積載物３に亘って全ての積載物３の高さ方向に延びる角部が覆われるように設定されているから、最上段の積載物３から最下段の積載物３に亘って全ての積載物３の側面がアングル部１１によって覆われる。なお、２つのアングル部１１を重ね合わせることにより、伸縮機構が構成されていてもよい。
【００５２】
したがって、全ての段の積載物３について、搬送中や荷役中の横方向のずれを防止することができる。また、積載物拘束具１０は、全体がポリプロピレン樹脂で構成されているため、上方および側方からの衝撃から積載物３が効果的に保護される。
【００５３】
さらに、積載物拘束具１０は強度、緩衝性能、及び寸法制度に優れる。したがって、結束バンド４および結束具５とともに、繰り返し使用することができ、ストレッチフィルムで積載物３を巻回する梱包方法とは異なり、開梱時に廃棄物が生じることがない。
【００５４】
（第２実施形態）
次に、本発明の第２実施形態に係る積載物拘束具３０について、図面を用いて説明する。なお、第１実施形態と同様の構成については、同じ符号を付し、説明を省略する。
【００５５】
図４に示すように、積載物拘束具３０は、山形の断面を有するアングル部１１と、アングル部１１の長手方向一端に、アングル部１１の２つの面１１Ａ、１１Ｂに直交するように形成された天井部３２と、を備えている。なお、第２実施形態では、天井部３２は三角形状とされている。
【００５６】
また、天井部３２には、天井部３２及び第１実施形態の天井部１２より面積が大きい矩形状の天板３４が取り付けられている。天板３４の板面には舌片３４Ａが突出形成されており、天板３４の板面と舌片３４Ａとの間には、天井部３２の厚さと略同じ厚さの隙間が設けられている。この天板３４の板面と舌片３４Ａとの間の隙間に積載物拘束具３０の天井部３２を差し込むことにより、図４（Ｂ）に示すように、天井部３２に天板３４が固定される。
【００５７】
天板３４の外周には、天板３４の板面から垂直方向下向きに突出する２個の突起３４Ｂが形成されている。突起３４Ｂには、天井部３２に天板３４を固定した際に積載物拘束具３０のアングル部１１が差し込まれるスリット３５が形成されている。また、突起３４Ｂは、積載物拘束具３０を積載物３の上面に引っ掛けた際に、積載物３の横方向に延びる角部にそれぞれ当接する。
【００５８】
第２実施形態の積載物拘束具３０によると、天板３４の板面と舌片３４Ａとの間の隙間に天井部３２が差し込まれ、天板３４の突起３４Ｂのスリット３５にアングル部１１が差し込まれることにより、積載物拘束具３０の天井部３２に天板３４が取り付けられている。このため、容易かつ確実に天板３４を固定することができる。
【００５９】
また、天井部３２より面積が大きい天板３４を天井部３２に取り付けているため、積載物拘束具３０を積載物３の上面に引っ掛けることが容易となり、結束バンド４により緊結作業を行う際に、積載物３から積載物拘束具３０が外れることを防ぐことができる。さらに、天板３４の２個の突起３４Ｂが積載物３の横方向に延びる角部にそれぞれ当接するため、積載物拘束具３０のずれを防止することができる。
【００６０】
（第３実施形態）
次に、本発明の第３実施形態に係る積載物拘束具４０について、図面を用いて説明する。なお、第１実施形態、第２実施形態と同様の構成については、同じ符号を付し、説明を省略する。
【００６１】
図５（Ｂ）に示すように、積載物拘束具４０は、アングル部１１と天井部３２とを備えた上部拘束具４２と、アングル部１１のみを備えた下部拘束具４４と、上部拘束具４２と下部拘束具４４とを連結するジョイント部材４６と、を備えている。なお、上部拘束具４２の下端部、及び下部拘束具４４の上端部には、後述するジョイント部材４６の開口４８に嵌合される係止突起４２Ａ、４４Ａがそれぞれ２個ずつ設けられている。
【００６２】
図５（Ａ）に示すように、ジョイント部材４６は、高さ方向両端部（図５（Ａ）における短手方向両端部）に形成された４個の開口４８と、幅方向両端部（図５（Ａ）における長手方向両端部）に形成された短孔５０Ａ及び長孔５０Ｂと、外側の面（図５（Ａ）における裏面）に突出するよう形成された２個の結束バンド係止部５２と、内側の面（図５（Ａ）における表面）に突出するよう形成された４個のアングル部係止部５４と、を備えている。さらに、ジョイント部材４６の幅方向中央部分には、ヒンジ部５６が形成されている。
【００６３】
積載物拘束具４０を組み立てるには、ジョイント部材４６をヒンジ部５６で折り曲げ、ジョイント部材４６のアングル部係止部５４に、上部拘束具４２の下端及び下部拘束具４４の上端をそれぞれ嵌合させる。このとき、上部拘束具４２及び下部拘束具４４の係止突起４２Ａ、４４Ａもジョイント部材４６の開口４８にそれぞれ嵌合される。
【００６４】
このようにして積載物拘束具４０を組み立てた後、ジョイント部材４６の結束バンド係止部５２に結束バンド４を係止させ、短孔５０Ａ又は長孔５０Ｂに結束バンド４を挿通させて、積載物３を積載物拘束具４０とともに結束バンド４で結束する。なお、結束バンド４が太い場合には長孔５０Ｂに挿通させ、結束バンド４が細い場合には短孔５０に挿通させる。
【００６５】
第３実施形態の積載物拘束具４０によると、上部拘束具４２と下部拘束具４４とをジョイント部材４６によって連結することで積載物拘束具４０が形成されている。このため、連結される下部拘束具４４の数を調整することにより、積載物拘束具４０の長さを積載物３の高さ及び段数に応じた長さとすることができる。  
【００６６】
また、積載物拘束具４０は、容易に上部拘束具４２、下部拘束具４４、及びジョイント部材４６に分解したり、組み立てたりすることができるため、保管する際に場所をとらず、持ち運びが容易となる。
【００６７】
（他の実施形態）
なお、本発明について実施形態の数例を説明したが、本発明はかかる実施形態に限定されるものではなく、本発明の範囲内にて他の種々の実施形態が可能である。
【００６８】
例えば、上記実施形態において、積載物拘束具１０、３０、４０は、アングル部１１が積載物３の高さ方向に延びる角部を覆うよう上下方向に沿って梱包体１に取り付けられていた。しかし、積載物拘束具１０、３０、４０は、アングル部１１が積載物３の横方向に延びる角部を覆うよう最上段の積載物３の横幅方向に沿って梱包体１に取り付けられていてもよい。
【００６９】
また、第３実施形態において、ジョイント部材４６は、短孔５０Ａ、長孔５０Ｂ、及び結束バンド係止部５２を備えていたが、短孔５０Ａ、長孔５０Ｂ、及び結束バンド係止部５２は、ジョイント部材４６に設けられている必要はなく、別部材の結束バンド挿通部材とされていてもよい。
【００７０】
また、上記第１実施形態〜第３実施形態は適宜組み合わせることができる。例えば、第３実施形態の積載物拘束具４０の天井部３２に、第２実施形態の積載物拘束具３０の天板３４を取り付けてもよい。
【符号の説明】
【００７１】
２                   パレット
３                   積載物
４                   結束バンド
１０、３０、４０     積載物拘束具
１１                 アングル部
１２、３２           天井部
３４                 天板
４６                 ジョイント部材
【図１】
2015129017.tif 000003
【図２】
2015129017.tif 000004
【図３】
2015129017.tif 000005
【図４】
2015129017.tif 000006
【図５】
2015129017.tif 000007